Podtech/llm-jp-corpus-v4-ja_patent huggingface dataset:
(57)【要約】      （修正有）【課題】ラティーンリグを基本とするヨットの帆装において、タッキングという風を受ける舷側を交互に反転する操作を繰り返して、ジグザグ状の航程で風上方向へ進む。この際のヤードの風下側への移動を不要にする帆走構造を提供する。【解決手段】マスト４に凹部を設け、それにヤード２を係合させることにより、タッキングの際にラティーンリグでは、ヤードをマストの風下側へ交互に移動させる必要がなく、係合部を支点として交互に反転できる。【選択図】図４
2011063253.tif 000002
【特許請求の範囲】
【請求項１】
ヨットのマストの一部に設けた凹部と、それに係合するヤードからなる帆装構造。
【発明の詳細な説明】
【技術分野】
【０００１】本発明は、ヨットのマストの一部に凹部を設け、その凹部にヤードを係合させる帆装構造に関するものである。
【背景技術】
【０００２】帆船やヨットの帆装方式・構造には種々のものがある。  その中でラティーンリグと呼ばれる三角形のセール（帆）をヤード（帆桁）に取り付け、ヤードの中程をマスト（帆柱）で吊上げる方式は広く使われている。  この方式の利点はマストの高さが低くてもヤードによりセールを高く展開でき、帆走性能を良くすることが出来ることである。  また、セールの下端にブームと呼ばれる帆桁を取り付け、操作性を良くした方式も広く使われている。  この方式は近代の競技用小型ヨット、例えば「国際１２フィート級」（日本ではＡ級ディンギーと呼ばれる）などで現在も使用されている。
この国際１２フィート級における帆装の例を図１に示す。  セール１はヤード２およびブーム３に取り付けられ、マスト４の頂部の滑車５を通りヤード２の中程に結ばれたハリヤード６と呼ばれるロープにより吊り上げられ展開される。艇体７の後部には舵８があり、また風上に向かう際に水から揚力を得るセンターボード９が備えられる。またブーム３はシート１０と呼ばれるロープにより、ブームとセールの風と艇体に対する角度を調整され、最適な帆走性能を得られるように操作される。
【発明の概要】
【発明が解決しようとする課題】
【０００３】これには次のような欠点があった。
ヨットが風上方向へ帆走する場合は、タッキングという風を受ける舷側を交互に反転する操作を繰り返して、ジグザグ状の航程で風上方向へ進む。このタッキングの際にラティーンリグでは、ヤードをマストの風下側へ交互に移動させる必要がある。
図２にその状況を上方から見た概要を示す。はじめにＡスターボードタック（右舷開き）の状態で帆走していたヨットは、タッキングによる方向転換を行い、Ｂポートタック（左舷開き）の状態となる。  この際にヤードをマストの反対側へ移動させる。  この操作を繰り返して風上方向へ帆走する。
またラティーンリグでは、風上からセールへの風の流れに対して、マストとヤードの両方が抵抗となり、風の流れが乱されて帆走の性能が損なわれる。
本発明は以上のような欠点を解消するためになされたものである。
【課題を解決するための手段】
【０００４】図３に示すようにマストに凹部を設ける。  図３はマストの上部とその一部に設けた凹部とその二か所の断面図を示す。図４に示すようにヤード下部をその凹部に係合するように取り付ける。
【発明の効果】
【０００５】ヤードがマストに係合しているので、タッキングの際にヤードを移動させる必要がない。【０００６】また、マストとヤードが一体化することにより、風の流れに対する抵抗が減少し風の流れがスムーズになり帆走の性能が向上する。
【図面の簡単な説明】
【０００７】
【図１】国際１２フィート級ヨットにおける帆装の例
【図２】ヨットが風上へ帆走する状況の概要図
【図３】マストに設けた凹部とその断面図
【図４】マストの凹部とヤードの係合状態を示す図
【発明を実施するための形態】
【０００８】以下本発明を実施するための種々の形態について説明する。
【０００９】マストおよびそれに設ける凹部は図３に示すように、艇体およびマストの中心線に対して左右対称であるものが性能面で最も優れている。  また凹部の幅や深さはそこにヤードを係合させるのに適した寸法であれば良い。
また、凹部の長さはマストの全長にわたっても良い。
【００１０】しかし凹部は必ずしも左右対称である必要はなく、凹部の形状は中心線からずれていても良い。
【００１１】また凹部が中心線からずれた結果、マストの中心線の左右いずれかの側の部材が一部欠損した形状となっても良い。
【００１２】マストの凹部の深さは、マスト内部に限定されるものではなく、一部または全部においてマストの反対側へ突き抜けていても良い。
【００１３】マストの断面形状は円形またはそれに近いのが普通であるが、それに限らず、各種多角形あるいは中心に対して非対称な形状でも良い。
【００１４】マストは全体として一つの部材で形成されているのが普通であり、その部材は内部が詰まった木材のようなもの、あるいは内部が中空のパイプのようなものなどがある。内部が詰まったものではその一部を削り取ることで、またパイプ状のものではその一部を切り取ることで凹部が形成される。
【００１５】しかし、マストは一つの部材ではなく複数の部材が組み合わされて作られ、かつ凹部が形成されても良い。
【符号の説明】
【００１６】  １  セール
２  ヤード
３  ブーム
４  マスト
５  滑車
６  ハリヤード（ロープ）
７  艇体
８  舵
９  センターボード
１０  シート（ロープ）
【図１】
2011063253.tif 000003
【図２】
2011063253.tif 000004
【図３】
2011063253.tif 000005
【図４】
2011063253.tif 000006
(57)【要約】      （修正有）【課題】走行時に発生する向かい風が前記カバー内に侵入して前記中空のカバーを上方に持上げる揚力によって下部の車体又は船体を持上げて荷重を軽量化することによって燃費を削減し、温暖化ガスの発生を削減する。ファンを設置した場合は、風力発電によって駆動力を増大させる。【解決手段】自動車の屋根や船舶の甲板に断面が半円形で、且つ、断面図で全体として後方に縮小傾斜し末端で外側に突起していて前方の入口が折れ曲がった板が風の強弱で曲げの角度を自働的に変化させる調節弁として、カバー内部の向かい風で一定の揚力を保ち車体又は船体を上方に持上げて軽量化する。また、カバー内にファンを内蔵させて風力発電させる場合、発電の際に懸る反力が発生する揚力によって車体から切り離されて持上げられ、電力のみが動力を補充し省エネに寄与する。【選択図】図１
2011063255.tif 000002
【特許請求の範囲】
【請求項１】
自動車の屋根上又は甲板上に、断面が半円形の中空のカバーを単独又はファンを併設して設置し、走行時に発生する向かい風が前記カバー内に侵入して前記中空のカバーを上方に持上げる揚力によって下部の車体又は船体を持上げて荷重を軽量化することによって燃費を削減し、温暖化ガスの発生を削減する省エネ装置で、前記ファンを設置した場合は、風力発電によって駆動力を増大させる省エネ自動車又は船舶。
【請求項２】
上記カバーの向かい風の入口部が、側面図で、前記カバーは進行方向に全体として後方に傾斜しているが、前記カバーの向かい風の入口部の板又は布が下向きに設置されて、内部に侵入した風力が圧力の低い上方部の空間に広がって、恰も、パラシュートが開いたように、前記カバーの天井部を押上げる揚力を増大させて、車又は、船舶の荷重を吊上げ、省エネ効果を発揮すると同時に、向かい風の強弱に応じて、前記下向きに設置された入口部の板又は、布が地面に対する角度を自働的に変えて、揚力の大きさを自働調節することによって、自動車又は船舶の走行速度をほぼ一定に保つ構造の省エネ自動車又は船舶。
【請求項３】
上記カバーの断面形状を半円にすることによって、ボイル・シャールの法則によるダクト又は円環内の圧力を高めて内部の風力を削ぐことを防ぐと同時に、風力やファンの推進力や電力を生じる際に発生する反力が、荷重として車体又は船体に懸ってモーターやエンジンの負荷として動力に作用しないように、発生する揚力が荷重を上方に引上げて、推進力のエネルギーを減殺しない構造の省エネ自動車又は船舶。
【発明の詳細な説明】
【技術分野】
【０００１】自動車や船舶の排ガス低減及び省エネ装置
【技術背景】
【０００２】世界的に地球温暖化防止の為の排出ガス削減による環境保護と省エネが急務であり、その解決策が求められています。
【発明の開示】
【０００３】自動車や船舶の急増により、駆動時の排出ガス増大が地球温暖化の原因としての防止技術が求められています。当該技術は、自動車や船舶の走行時に発生する向かい風をりようすることによって生じる揚力を利用して、自動車又は船舶の車体や船体を引上げて荷重を軽量化し、動力の排出ガスを削減する省エネ装置です。
【図面の簡単な説明】
【０００４】
【図１】当該揚力利用駆動力増大器を自動車に適用の断面図の一例。
【符号の説明】
【０００５】１．ファン            ２カバー        ３．カバーの入口の垂れ下がった板
４  カバーの末端の突起                ５．発電機            ６．電線
７．バッテリー        ８．モーター    ９．エンジン        １０．屋根
【発明の詳細な説明】
【０００６】  当該発明は、自動車の屋根（１０）に設置するカバー（２）の入口の先端（３）付近の板が下方に曲がって、風の強弱によって曲がる角度を自働調節して断面図で全体として後方に傾斜する断面が半円形のカバー（２）内の風圧を一定に保ち、変動幅の小さい揚力で車体を上方に吊り上げて軽量化し省エネを果たす装置で、カバー（２）の後端に突起（４）外方に広げてカバー（２）の外側の気流の圧力で後部車体を押しつけて、後輪が地面との接触をしっかり保って駆動効率を高め、又、カバー（２）の内部にファン（１）を設置した場合は、連結する発電機（５）で風力発電した電力を電線（６）でバッテリー（７）に送電してモーター（８）を作動させて、電気自動車やハイブリッドカーのエンジン（９）とモーター（８）の連携による駆動力を増大させる排ガス低減装置です。
【図１】
2011063255.tif 000003
(57)【要約】      （修正有）【課題】ティッシュペーパーの残量が少なくなっても最後の１枚まで取り出し口に出るようにしたティッシュペーパーの箱を提供する。【解決手段】ティッシュペーパーの箱の本体の四側面に平行に２本のミシン目を設け、それの１ヶ所の角に引き離し用のツマミを設け、その平行のミシン目の各面の中央の下に、それぞれ下カギ型の切り込みを設け、本体天井部の四隅にもミシン目を設けた。【選択図】図４
2011063309.tif 000002
【特許請求の範囲】
【請求項１】
ティッシュペーパーの箱の本体の四側面に平行に２本のミシン目を設け、箱の１ヶ所の角に引き離し用のツマミを設け、前記平行のミシン目の各面の中央の下にそれぞれ
2011063309.tif 000006
ィッシュペーパーの箱。
【発明の詳細な説明】
【技術分野】
【０００１】  本発明は、残量が少なくなったティッシュペーパーが最後の１枚までもスムーズに取り出す事の出来る、ティッシュペーパーの箱に関するものである。
【背景技術】
【０００２】  従来のティッシュペーパーの箱では、ティッシュペーパーの残量が少なくなると、次に取り出すべきティッシュペーパーが箱の中へ落ち込んでしまう。
【発明が解決しようとする課題】
【０００３】  そのために次のような問題点があった。
（イ）  落ち込んだティッシュペーパーを取り出すために、指を２本入れてティッシ            ュペーパーを挟んで引き出さなくてはならない。
（ロ）  指で引き上げたティッシュペーパーは複数枚引き上がってくる。
本発明は以上の問題点を解決しようとするものである。
【課題を解決するための手段】
【０００４】  ティッシュペーパーの箱の側面中央部四方に、箱が上下二分出来るように引き離し用のミシン目を入れる。
2011063309.tif 000003
ティッシュペーパーの箱の天井部も切り離し用のミシン目を入れる。
使用した際、ティッシュペーパーの残量が少なくなり次に取り出すべきティッシュペーパーが箱の中へ落ち込むようになった時に、箱の中央のミシン目を利用して、箱を二分し、天井部もミシン目に沿って切り離し、残ったティッシュペーパーの上に被せ、各面に
2011063309.tif 000004
ティッシュペーパーを取り出し口に引き出して使用する。
以上を特徴とするティッシュペーパーの箱である。
【発明の効果】
【０００５】  本発明は、ティッシュペーパーを使用し、残り少なくなるとティッシュペーパーがティッシュペーパーの箱の中へ落ち込み、その度にティッシュペーパーの箱の中に指を突っ込んで摘み出さなくてはならないという面倒な作業を無くしたものである。
【発明を実施するための最良の形態】
【０００６】  以下、本発明の実施の形態を説明する。
（イ）  本体（１）側面中央部四面にミシン目（３ａ、３ｂ）を入れ、剥離用のツマ            ミ（３ｃ）を作る。
2011063309.tif 000005
みを入れる。（４ａ、４ｂ、４ｃ、４ｄ）
（ハ）  ティッシュペーパーの箱の天井部（２）の四方にミシン目を入れる。
（２ａ）
本発明は、以上の構成よりこれを実際に使用する場合は次のようになる。
本発明は、使用中のティッシュペーパーが半数以下になり、次に取り出すべきティッシュペーパーが取り出し口よりティッシュペーパーの箱内へ落ち込むようになった折に、剥離用ツマミ（３ｃ）を引っ張り、本体（１）を本体（１ａ）（１ｂ）の上下に引き離す。本体上部（１ａ）の天井部（２）をミシン目（２ａ）に沿って切り離して、本体（１ｂ）の上部（ティッシュペーパーの一番上）に被せ、天井固定用ツメ（４ａ、４ｂ、４ｃ、４ｄ）を内側へ折り込み、天井部（２）を安定させ、ティッシュペーパー取り出し口（５）よりティッシュペーパーを順次引き出して使用するものである。
本発明は、以上の構成よりなっている。
【図面の簡単な説明】
【０００７】
【図１】ティッシュペーパーの箱の立体図
【図２】本発明のティッシュペーパーの箱の立体図
【図３】ティッシュペーパーの残量が少なくなった時のティッシュペーパーの箱の透視図
【図４】本発明の使用状態図
【符号の説明】
【０００８】    １    ティッシュペーパーの箱本体
１ａ  ティッシュペーパーの箱上部
１ｂ  ティッシュペーパーの箱下部
２    ティッシュペーパーの箱天井部
２ａ  ティッシュペーパーの箱天井部のミシン目
３ａ  ティッシュペーパーの箱側面のミシン目上
３ｂ  ティッシュペーパーの箱側面のミシン目下
３ｃ  ティッシュペーパーの箱剥離用ツマミ
４ａ、４ｂ、４ｃ、４ｄ  ティッシュペーパー用の箱天井部（２）の固定用ツメ
５    ティッシュペーパー取り出し口
６ａ、６ｂ  天井部（２）の固定用ツメを抜いた穴
７    ティッシュペーパー
【図１】
2011063309.tif 000007
【図２】
2011063309.tif 000008
【図３】
2011063309.tif 000009
【図４】
2011063309.tif 000010
(57)【要約】      （修正有）【課題】水筒やペットボトルの蓋の良い役目を損なうことなく、携帯時における飲料水の蓋を提供する。【解決手段】飲料水を携帯する際にコップに注いで香りを楽しみながら飲みたい場合、コップの代わりに蓋を利用すれば良いが、従来のものでは小さすぎて使用するには不便であった。また、代用コップが付随した物や代用コップに代わるものもあるが飲み口の部分が不衛生であり、また使用中は蓋の役目を果たせなかっため、注いで飲むことをあきらめ、直接容器に口をつけて飲む場合は、雑菌が繁殖しやすく。すぐに飲み干す必要性があった。ついで飲料水の価値を損ねないためキャップを強くしめており、握力の弱い人は飲みたくても開けることができない不自由さを味わされていた。そこで、コップ７と蓋４の良い部分を失わずに同時に２つの役目を果せるようにコップとキャップを合体させる。【選択図】図１
2011063313.tif 000002
【特許請求の範囲】
【請求項１】
従来の飲料容器で蓋に飲料水を注いで、蓋を器代りにしたものは飲む際に蓋の外側に唇が触れるため、蓋の外側が外気にふれたり、持ち運ぶ際に人の手が直接触るなど衛生面において不十分であった。この発明によって口のあたる飲み口の部分を内側に隠すので従来の衛生面における不十分な点を補うことができた。
【請求項２】
従来の飲料容器の蓋は器代りにしている時は蓋の役目を果たすことができなかった。この発明によって器の役目も蓋の役目も同時に果たすことができた。
【請求項３】
従来のペットボトルのキャップはリキャップ時などのために気密性を高める必要があり、キャップは固く締められている。そのため握力の弱い人はキャップをあけるのに不便であった。この発明によってキャップを回す際、従来よりキャップが大きいので回し易く小さな力であけることができた。
【発明の詳細な説明】
【技術分野】
【０００１】
【背景技術】
【０００２】
【先行技術文献】
【０００３】
【非特許文献】
【０００４】
【発明の概要】
【発明が解決しようとする課題】
【０００５】  飲料水を携帯する際にコップに注いで香りを楽しみながら飲みたい場合、コップの代わりに蓋（キャップ）を利用すれば良いが、従来のものでは小さすぎて使用するには不便であった。また、代用コップが付随した物や代用コップに代わるものもあるが飲み口の部分が不衛生であり、また使用中は蓋の役目を果たせなかった。そこで、注いで飲むことをあきらめ、直接容器に口をつけて飲む場合は、雑菌が繁殖しやすく。すぐに飲み干す必要性があった。ついで飲料水の価値を損ねないためキャップを強くしめており、握力の弱い人は飲みたくても開けることができない不自由さを味わされていた。
【課題を解決するための手段】
【０００６】  コップと蓋（キャップ）の良い部分を失わずに同時に２つの役目を果せるようにコップとキャップを合体させることで解決をはかった。
【図面の簡単な説明】  コップの飲み口を狭め、その飲み口を筒状のもので蓋をする。次にコップの底の部分に従来のペットボトルのキャップ２個を接続し上下どちらでも蓋ができるように設置したもの。
【符号の説明】図１の１はコップ全体を指している。
図１の２はコップの飲み口。
図１の３は図１の２の飲み口隠し収める筒状のもの。
図１の４は従来のキャップ２個を円形の底面どうしの部分で貼り付けた。
図１の５は空洞で側面には螺旋状のねじが刻まれている。
図１の６は空洞で側面には螺旋状のねじが刻まれている。
図１の７と図１の８は接着して固定する。
図１の９と図１の１０接着せず固定しない。
【図１】
2011063313.tif 000003
【図２】
2011063313.tif 000004
【手続補正書】
【提出日】平成21年11月19日(2009.11.19)
【手続補正１】
【補正対象書類名】明細書
【補正対象項目名】全文
【補正方法】変更
【補正の内容】
【発明の詳細な説明】
【技術分野】
【０００１】
【背景技術】
【０００２】
【先行技術文献】
【０００３】
【非特許文献】
【０００４】
【発明の概要】
【発明が解決しようとする課題】
【０００５】  飲料水を携帯する際にコップに注いで香りを楽しみながら飲みたい場合、コップの代わりに蓋（キャップ）を利用すれば良いが、従来のものでは小さすぎて使用するには不便であった。また、代用コップが付随した物や代用コップに代わるものもあるが飲み口の部分が不衛生であり、また使用中は蓋の役目を果たせなかった。そこで、注いで飲むことをあきらめ、直接容器に口をつけて飲む場合は、雑菌が繁殖しやすく。すぐに飲み干す必要性があった。ついで飲料水の価値を損ねないためキャップを強くしめており、握力の弱い人は飲みたくても開けることができない不自由さを味わされていた。
【課題を解決するための手段】
【０００６】  コップと蓋（キャップ）の良い部分を失わずに同時に２つの役目を果せるようにコップとキャップを合体させることで解決をはかった。
【図面の簡単な説明】
【０００７】
【図１】  コップの飲み口を狭め、その飲み口を筒状のもので蓋をする。次にコップの底の部分に従来のペットボトルのキャップ２個を接続し上下どちらでも蓋ができるように設置したキャップの雄雌。
【図２】  従来のペットボトル
【符号の説明】
【０００８】  図１の１はコップ全体を指している。
図１の２はコップの飲み口。
図１の３は図１の２の飲み口を隠し収める筒状のもの。
図１の４は従来のキャップ２個を円形の底面どうしの部分で貼り付けた。
図１の５は空洞で側面には螺旋状のねじが刻まれている。
図１の６は空洞で側面には螺旋状のねじが刻まれている。
図１の７と図１の８は接着して固定する。
図１の９と図１の１０接着せず固定しない。
(57)【要約】【課題】  品名や保存日、参考賞味期限など、食品を無駄なく、保存、使用してゆくために必要な情報を、ひと目でわかりやすいように、自由に、書いたり消したりができるようにし、安全性があって何度でも再使用が可能で安価な、ポリプロピレン製の白板付ポリプロピレン製の食品保存容器を提供する。【解決手段】  ポリプロピレン製の白板には、ホワイトボード用のペンで書けばはっきりと読め、何度でも自由に書いたり消したりができるという性質があるが、この性質を利用するために、透明なポリプロピレン製の食品保存容器の側面に、ポリプロピレン製の白板を熱溶着して取り付けたことを特徴とする食品保存容器。【選択図】図１
2011063311.tif 000002
【特許請求の範囲】
【請求項１】
透明なポリプロピレン製の食品保存容器の側面に、ポリプロピレン製の白板を熱溶着して取り付けたことを特徴とするポリプロピレン製の食品保存容器。
【発明の詳細な説明】
【技術分野】
【０００１】  本発明は、品名や保存日、参考賞味期限など食品を無駄なく保存、使用してゆくために必要な情報を、ひと目でわかりやすいように、そして、自由に、書いたり消したりできるようにした。
安全性があって、何度でも再使用が可能で、安価なポリプロピレン製の白板付ポリプロピレン製の食品保存容器に関するものである。
【背景技術】
【０００２】  従来、ポリプロピレン製の食品保存容器には、品名や保存日など必要な情報をひと目でわかりやすく自由に書いたり消したりできるようにした白板部分が付いていなかった。
【発明の概要】
【発明が解決しようとする課題】
【０００３】  そのために、次のような問題点がある。
（イ）品名などを記入する場所がないため、食品保存容器は単なる入れ物として使われて    おり、中に入っているものが何なのか冷蔵庫を開けて見たときなどにひと目では品名    はわかりづらかった。
（ロ）また、保存日、参考賞味期限なども記入されることがないので忘れられて、食材を    腐らせてしまったりして、無駄にすることが多かった。
（ハ）白板部分を塗装によって設けたり、紙のシールを貼ったりして設けることもできる    が、一度書いたら消せなかったり、消えにくかったりして不便であるし、容器がいく    つも必要になって場所もとるし、不経済である。
（ニ）ホワイトボードを紙のシールにしたものがあるが、これを食品保存容器の側面に貼    れば、（イ）（ロ）（ハ）について解決するが、使用した食品保存容器を水で洗うと    、紙なのではがれてきてしまい、再使用に耐えられないという欠点があった。
また、電子レンジで使用する場合もあるので、シールの接着面の薬剤やホワイトボ    ードそのものが溶け出したりしないかなど、食品を扱う上での安全面での問題もある    のではないかと考えられるという欠点があった。
本発明は、これらの問題点を解決するためになされたものである。
【課題を解決するための手段】
【０００４】  透明なポリプロピレン製の食品保存容器の側面に、ポリプロピレン製の白板を熱溶着して取り付ける。
以上のように構成された食品保存容器である。
【発明の効果】
【０００５】  本発明はポリプロピレン製の白板にホワイトボード用のペンで書くとはっきりと読め、書いたり消したりが何度でも自由にできることを利用するものである。
したがって、ポリプロピレン製の食品保存容器に取り付けられたポリプロピレン製の白板に、ホワイトボード用のペンで、品名、保存日、参考賞味期限などを書き込めば、冷蔵庫を開けたときなどに、何が（品名）、いつ保存されたのか（保存日）、また、いつまでは参考賞味期限なのか、などが、ひと目ではっきりわかり、食品を無駄にすることがなくなる。
また、
（イ）書いたり、消したりが何度でも自由にできること。
（ロ）ポリプロピレン製の白板を取り付ける際、熱したはんだごての先などで、ポリプロ    ピレンそのものどうしを溶かして（熱溶着して）ポリプロピレン製の食品保存容器に    取り付けるだけなので、薬品を使ったりせずに済むため、無害であり、安価である。
（ハ）さらに、白板そのものがポリプロピレン製なので、電子レンジ使用時にも安全に耐    えられる。
（ニ）また、この付け方でしっかり付くし、ポリプロピレンは紙と違って水にも強いので    水で洗っても白板がはがれ落ちることがなく、再使用に何度でも耐えられる。
以上から、食品を無駄にすることがなくなり、安全性があって、何度でも再使用が可能なため経済的で、取り付け方が簡単なため、安価な、ポリプロピレン製の食品保存容器を提供することができるのである。
【図面の簡単な説明】
【０００６】
【図１】  本発明の斜視図である。
【図２】  本発明の使用状態を示した正面図である。
【発明を実施するための形態】
【０００７】  以下、本発明の形態について説明する。
透明なポリプロピレン製の食品保存容器（１）にポリプロピレン製の白板（２）を熱したはんだごての先などで、白板の四隅などの点（３）などを、ポリプロピレンどうしを溶かして熱溶着して取り付けて白板部分を設ける。
本発明は以上のような構成になっている。
本発明を使用するときは、透明なポリプロピレン製の食品保存容器（１）に食品を入れる。
ポリプロピレン製の白板（２）にホワイトボード用のペンで品名、保存日、参考賞味期限など、必要な情報を自由に書き込み、冷蔵庫などで保存する。
もちろん、ポリプロピレン製の白板（２）に品名などを書き込んでから、透明なポリプロピレン製の食品保存容器（１）に食品を入れてもかまわない。
食品を使用したあとは、透明なポリプロピレン製の食品保存容器（１）を洗うときなどにポリプロピレン製の白板（２）に書き込んだ品名などを洗い流したり、ふきんなどで拭いて消し去り、よく乾かして、再使用に備える。
ちなみにホワイトボード用のペンは冷蔵庫の扉などにマグネットで付けておくと便利である。
【符号の説明】
【０００８】    １  透明なポリプロピレン製の食品保存容器
２  ポリプロピレン製の白板
３  取り付けた点
【図１】
2011063311.tif 000003
【図２】
2011063311.tif 000004
(57)【要約】【課題】本発明は、本発明は、その高さをより自由に設定可能な槽の提案にある。【解決手段】本願発明は、地下に埋設される槽であって、平盤と高さ調整材とからなり、平盤と高さ調整材は互いにその中心で契合可能とする契合部を有し、前記平盤と高さ調整材を両者に設けた契合部を介して所定の順に重ねて所定の高さの垂直柱部とし、当該垂直柱部を左右前後に前記平盤が互いに接するように配置することで貯留空間を形成し、当該貯留空間の周囲を透水性もしくは遮水性部材で覆って得られた槽高を調節可能とした槽である。槽の高さを柔軟に変えた設計ができるよう高さ調節材を使用可能とした。【選択図】図３
2011063963.tif 000002
【特許請求の範囲】
【請求項１】
地下に埋設される槽であって、平盤と高さ調整材とからなり、平盤と高さ調整材は互いにその中心で契合可能とする契合部を有し、前記平盤と高さ調整材を両者に設けた契合部を介して所定の順に重ねて所定の高さの垂直柱部とし、当該垂直柱部を左右前後に前記平盤が互いに接するように配置することで貯留空間を形成し、当該貯留空間の周囲を透水性もしくは遮水性部材で覆って得られた槽高を調節可能とした槽。
【発明の詳細な説明】
【技術分野】
【０００１】
本発明は、雨水等の貯留浸透に関わる槽の構築技術に属する。
【背景技術】
【０００２】
雨水の流出抑制あるいは有効利用を目的とする地下に埋設する貯留・浸透槽はプラスチックの単位部材を配列し、貯留空間を確保しその周囲を適切なシート類で覆ったもの、ボックスカルバートによるものあるいはコンクリート打ちのもの等各種のものが提案かつ使用されている。プラスチックの単位部材を使用する例は、特開平9-112792、特開平10-252108、特開平11-222886など各種提案されている。またコンクリート製のボックスカルバートを使用する貯留浸透槽は特開平07-166595に提案されている。
既に地下に埋設物が存在するような場所に埋設する槽にあっては、その埋設物の種類によってはその埋設深度が制限される。かかる場所で少しでもおおくの容量を有する槽を設置しようとするとその制限の中でギリギリの大きさの槽を設置する必要がある。プラスチック単位部材を使用する槽は、そのブロックの大きさを一単位とし、その倍数の大きさの槽しか設置できないがより柔軟にその槽の高さを変えて設計する要請がある。
【先行技術文献】
【特許文献】
【０００３】
【特許文献１】特開平9-112792
【特許文献２】特開平10-252108
【特許文献３】特開平11-22288
【特許文献４】特開平07-166595
【発明の開示】
【発明が解決しようとする課題】
【０００４】
本発明は、その高さをより自由に設定可能な槽の提案にある。
【課題を解決するための手段】
【０００５】
本願発明は、地下に埋設される槽であって、平盤と高さ調整材とからなり、平盤と高さ調整材は互いにその中心で契合可能とする契合部を有し、前記平盤と高さ調整材を両者に設けた契合部を介して所定の順に重ねて所定の高さの垂直柱部とし、当該垂直柱部を左右前後に前記平盤が互いに接するように配置することで貯留空間を形成し、当該貯留空間の周囲を透水性もしくは遮水性部材で覆って得られた槽高を調節可能とした槽である。
槽の高さを柔軟に変えた設計ができるよう高さ調節材を使用可能とした。
【発明の効果】
【０００６】
本願発明は、平盤と高さ調整用材を適宜組み合わせて垂直柱部を構成し、当該垂直柱部を左右前後に配列して貯留空間を形成するようにしたため以下の効果がある。
・  槽の高さを柔軟に変えることができる。
・  平板の数を調節することで水平強度を変化させることができる。
【図面の簡単な説明】
【０００７】
【図１】本発明に使用する平盤の概念図である。
【図２】本発明に使用する平盤の他の例を示す概念図である。
【図３】本発明に使用する高さ調節材の概念図である。
【図４】平盤と高さ調節材を組み合わせて垂直柱部を形成した状態を示す断面図である。
【図５】垂直柱部を配列して貯留空間を形成した状態を示す概念図である。
【図６】貯留空間を貯留部とする槽の概念図である。
【発明を実施するための形態】
【０００８】
以下本発明を、図を用いてより詳細に説明する。
図1は、本発明の槽に使用する平盤の平面図及びA-A’線での断面図である。
図に示すように平盤は、その裏表の中心にそれぞれ後述する高さ調節材との契合部を有している。図1ａは、後述する垂直柱部の最下部及びその途中に使用するものである。図１ｂは、最上部を平坦とするために使用するためのものでその上部に契合部を有していない。
本平盤は正方形として示してあるが矩形、あるいは図2に示す矩形の各端部を切り欠いて十字形としたもの、八角形にしたものなど平盤同士が水平面で相接する配列できる形状であればよい。また、契合部も凹凸で示してあるが、既存の契合方法が使用可能である。
【０００９】
図３は、高さ調節材が示されている。高さ調節材は、貯留空間を形成する際、その内容積を大きく取れるよう平板と比較すると小さく構成されている。
図に示すように、その表面及び裏面にそれぞれ前述の平盤と契合するための契合部が設けられている。
【００１０】
図４は、上記平盤と高さ調整材を組み合わせて垂直柱部を形成した状態を示している。図では平盤間に3枚の高さ調整材を挟むことで垂直柱部を形成しているが、間に挟む高さ調整材の数を変えることで、必要な高さに調製可能である。
同時に平盤間に挟む高さ調整材の数を少なくし、結果として平盤間の間隔を狭くすることで、水平強度が要求される場合にも対応可能となっている。
【００１１】
図５は、垂直柱部を前後左右に配列し、貯留空間を形成した状態を示している。
本貯留空間を適当なシート類で包むことで雨水等の流出抑制あるいは有効利用のために使用される浸透槽あるいは貯留槽が形成される。透水シートで包めば透水槽が得られ、遮水シートで包めば貯留槽が形成される。
また、必要に応じて本貯留空間をコンクリート等で形成した壁あるいは容器内に配列してもよい。
【００１２】
図６は、上記貯留空間を地下に埋設し、透水シートで包に、槽の流入口に泥だめますを設け、溢流管を設けた浸透槽を示す概念図である。  また、本例に限らず、遮水シートで包み、オリフィスあるいはポンプをなどの付帯設備を設けることで貯留槽とすることも可能である。
【産業上の利用可能性】
【００１３】
雨水の流出抑制あるいは有効利用のための浸透槽あるいは貯留槽として利用可能である。
【符号の説明】
【００１４】
１  平盤
２  高さ調節材
３  契合部
４  垂直柱部
５  貯留空間
６  浸透槽
７  泥だめます
【図１】
2011063963.tif 000003
【図２】
2011063963.tif 000004
【図３】
2011063963.tif 000005
【図４】
2011063963.tif 000006
【図５】
2011063963.tif 000007
【図６】
2011063963.tif 000008
(57)【要約】【課題】雨合羽を脱いだ時には当然、雨合羽全体が濡れていてかたずけが大変である、又、濡れている為にどこに置いてもいいというわけでなく、置く場所を制限される。これらを解決する為に考え出されたものである。【解決手段】袋５に裏返しした雨合羽９を収納することによって解決するものである。【選択図】図５
2011063917.tif 000002
【特許請求の範囲】
【請求項１】
雨合羽を裏返しにして、その裏返しとなった雨合羽の後ろにあたる部分を、使用してするものである。
【請求項２】
雨合羽に、雨合羽を収納することのできる袋を取り付ける物である。
袋を大きめにしてズボンも同時に収納できるものである。
【請求項３】
取り付けた袋はドットボタンで留めて、取り外しが出来るようにする。
本考案を使用するときは、図２の用に片方だけ取り外して雨にぬれた雨合羽を袋の中に収納するものである。
【請求項４】
本考案は、雨合羽だけでなくその他の衣類にも利用できる機能構造である
【発明の詳細な説明】
【技術分野】
【０００１】本発明は、雨合羽の裏返しにした後ろの部分に袋をつけて濡れた雨合羽を収納するモノであり、裏返しにすることにより雨にぬれた部分は内側に入り、手や体を濡らすことなく収納できる。このような利用形態であるので建設現場、自転車通勤、通学等で目的が達成された時に使用するものである。
【背景技術】
【０００２】雨に濡れた雨合羽は、置き場所がなくて困ることが多々ある、濡れた雨合羽を入れる袋をわざわざ持ち歩くことは、邪魔になるし面倒なことである、又自転車の片手運転で傘をさす行為は、濡れた雨合羽をかたずけるのが面倒で嫌である為の行為とも考えられる。特に自転車に乗っての片手運転は、事故のもとになりやすい、又、建設現場等においても置き場所がなければ、着たまま作業をする体の為にもいいことではない、これらを改善する為に考案されたものである。
【発明の開示】
【発明が解決しようとする課題】
【０００３】従来の雨合羽は、雨合羽そのものが濡れているので何処にでもおけばいいと言うものではなく、ビニール袋を用意しておいてその中に入れるとか、雨がやんでいてもおき場所がない為そのまま着ていると言うこともあった、工事現場などにおいては、このような事をすれば、体の動きが悪くなり事故のもとになりかねない危険性を持っている、本考案はこれらのことを解決する為の物である。
【課題を解決する為の手段】
【０００４】本発明は、来ていた雨合羽を脱ぐときにそのまま裏返しに脱いでしまう、裏返しに脱いでしまうことによって雨合羽の濡れた部分が内側に入ってしまう、この状態において雨合羽を折るあるいは丸めこむことによって、袋５の中に手や体を濡らすことなく収納することが出来る。
【０００５】袋５は、ドットボタン１と１′、ドットボタン２と２′、を合わせて上部に取り付ける、ドットボタン３と４で下部に取り付けると図１の状態になる、ドットボタン１と１′、２と２′、ドットボタン３と４で取り付けた部分は、雨合羽本体から取り外しが出来るようにしておく。取り外された袋５は、図４のような構造になっている。
【０００６】濡れた雨合羽を収納した時に袋の口が閉まるように、図４のマジックテープ、６、７、８、を使って袋を閉じる。まずマジックテープ６と８を使って袋５を閉じるこの状態で図１が出来上がる、今度は収納した時はマジックテープ６と７を使って口を閉じると図５の状態になり、濡れた雨合羽で手や体を濡らすことなく収納した状態を表す。
【発明の効果】
【０００７】雨合羽を脱ぐとき裏返しになるようにぬぎ、裏返しした雨合羽の後ろにあたる部分に袋をつけて収納すれば、手や体を濡らすことなく収納でき便利である。このように簡単に収納が可能な為、自転車通学、通勤等に雨合羽の使用者が増え、雨降りにおける傘を片手に持っての片手運転も雨合羽を着ての通学、通勤等に変わり安全性が増す、又建設現場等においても簡単に着替えることが出来安全の確保がされる。
【発明を実施する為の最良の形態】
【０００８】以下本発明の実施の形態を基づき説明する。
【０００９】図１は、本考案を雨合羽に取り付けたところである。図２は、本考案の上の部分のドットボタンを取り外して雨合羽を収納できる状態にしたものである。
図３は、点線１１、１２、の部分で折り曲げ１０の部分より折り曲げる、又は丸めこむ方法で、５の袋に収納する、図４は、袋５の拡大図でマジックテープ６と８で口を閉じ図１に、マジックテープ６と８を外して合羽を収納して、マジックテープ６と７で図５の収納口を閉じる、そして本考案が完成する。
【実施例】
【００１０】雨合羽を脱ぐときに裏が返しになるように脱ぐので、雨に濡れた部分が内側に包み込まれて、手や体が濡れることなく雨合羽を本考案の袋の中に入れることが出来る、また雨合羽を入れる為のビニール等も持って歩く必要もなくなり、本考案の収納袋が雨合羽に直接つけてあるので都合がいい、そのまま丸めて又は、折りたたんで本考案の袋の中に収めれば完了である、こうすれば雨合羽は小さくなりきれいにかたずき、濡れた雨合羽を足元に置くこともでき、濡れた雨合羽がそばに置いてあるとジメジメしていやなものだが、それらからも解消された。
【産業上の利用の可能性】
【００１１】本考案により雨合羽がより使いやすくなり使用することが多くなり、自転車通勤、通学における雨降りの片手運転、片手傘を減らすことにより事故の防止になる。
建設現場等における雨合羽の早めの収納は安全性の確保に有効にはたらくもので保安安全に有効なものとなる。
事故や、災害防止の抑制の利用価値がある。
【図面の簡単な説明】
【００１２】
【図１】本発明の基本となる裏返しした雨合羽の全体図である。
【図２】本発明の考案をわかりやすくするものである。
【図３】本発明の使用の仕方をわかりやすく説明する為のものである。
【図４】本発明の取り付けられた袋の全体図である。
【図５】本発明に雨合羽を収納して完成した図である。
【符号の説明】
【００１３】１、  本発明を取り付けるドットボタンである。
１′  本発明を取り付けるドットボタンである。
２、  本発明を取り付けるドットボタンである。
２′  本発明を取り付けるドットボタンである。
３、  本発明を取り付けるドットボタンである。
４、  本発明を取り付けるドットボタンである。
５、  本発明の本体部分である。
６、  マジックテープである。
７、  マジックテープである。
８、  マジックテープである。
９、  雨合羽である。
１０、  本発明の機能を説明しやすくする為の符号である。
１１、  本発明の機能を説明しやすくする為の符号である。
１２、  本発明の機能を説明しやすくする為の符号である。
【図１】
2011063917.tif 000003
【図２】
2011063917.tif 000004
【図３】
2011063917.tif 000005
【図４】
2011063917.tif 000006
【図５】
2011063917.tif 000007